(57)【特許請求の範囲】
【請求項１】
Ｘ線管を備えたＸ線装置を収納するＸ線装置用ケーシングにおいて、
Ｘ線管のＸ線取出し用窓を開閉するＸ線シャッターと、
ケーシングに設けられていて開閉移動する扉と、
扉が開いたときにＸ線シャッターを閉じ、扉が閉じたときにＸ線シャッターを開くように、扉とＸ線シャッターとを機械的に連結するシャッター開閉手段と
を有することを特徴とするＸ線装置用ケーシング。
【請求項２】
請求項１記載のＸ線装置用ケーシングにおいて、扉はスライド移動によって開閉することを特徴とするＸ線装置用ケーシング。
【請求項３】
請求項２記載のＸ線装置用ケーシングにおいて、
Ｘ線シャッターは回転移動することによってＸ線取出し用窓を開閉し、さらにシャッター開閉手段は、扉と一体に移動するカムと、Ｘ線シャッターと一体に回転移動すると共にカムと接触するカムフォロワーとを有しており、
カムは、扉の開移動に対応してカムフォロワーをＸ線シャッターの閉移動方向へ回転移動させ、さらに、扉の閉移動に対応してカムフォロワーをＸ線シャッターの開移動方向へ回転移動させるカム形状を有することを特徴とするＸ線装置用ケーシング。
【請求項４】
請求項３記載のＸ線装置用ケーシングにおいて、Ｘ線シャッターは、円柱状に形成され、さらにＸ線通過用の貫通穴を有し、そしてさらにその円柱の中心軸線を中心として回転移動することによってＸ線取出し用窓を開閉することを特徴とするＸ線装置用ケーシング。
【請求項５】
請求項３又は請求項４記載のＸ線装置用ケーシングにおいて、カムは、カムフォロワーをＸ線シャッターの閉位置に保持するための直線状溝と、カムフォロワーをＸ線シャッターの閉位置から開位置へと回転移動させるための傾斜溝とによって形成される溝状カムであることを特徴とするＸ線装置用ケーシング。
【請求項６】
請求項５記載のＸ線装置用ケーシングにおいて、溝状カムと扉との間にＸ線遮蔽部材を配置することを特徴とするＸ線装置用ケーシング。
【請求項７】
請求項５記載又は請求項６記載のＸ線装置用ケーシングにおいて、カムフォロワーは、カムとの接触部分にローラを有することを特徴とするＸ線装置用ケーシング。
【請求項８】
請求項５から請求項７のうちのいずれか１つに記載のＸ線装置用ケーシングにおいて、カムフォロワーを中立位置を境としてＸ線シャッターの開位置側又は閉位置側のいずれかへ引っ張る弾性付勢部材を有することを特徴とするＸ線装置用ケーシング。
【請求項９】
請求項５から請求項８のうちのいずれか１つに記載のＸ線装置用ケーシングにおいて、
扉の裏面に固着されていてケーシングの内部に配置される平板状のカム部材と、そのカム部材を横滑り可能に支持するレール手段とを有しており、さらに
上記溝状カムはカム部材の中に形成されることを特徴とするＸ線装置用ケーシング。
【請求項１０】
請求項９記載のＸ線装置用ケーシングにおいて、レール手段は、直線軌跡上に並べられた複数のローラによって構成されることを特徴とするＸ線装置用ケーシング。
【発明の詳細な説明】
【０００１】
【発明の属する技術分野】
本発明は、Ｘ線管を備えたＸ線装置を収納するＸ線装置用ケーシングに関する。
【０００２】
【従来の技術】
Ｘ線管から発生するＸ線を用いて種々の物質の性質を解析するＸ線装置は、従来より広く知られている。オペレータがＸ線に被爆してはならないので、Ｘ線管及びその他のＸ線光学要素は、通常、Ｘ線の通過を遮蔽できる材料によって形成されたケーシングによって覆われる。Ｘ線管は通常その内部に、電子を放出する陰極と、その電子が衝突する対陰極とを有する。対陰極に電子が衝突するとその対陰極からＸ線が放射され、放射されたそのＸ線は、Ｘ線管の管壁に設けたＸ線取出し用窓から外部へ取り出される。
【０００３】
一般に、Ｘ線取り出し用窓にはそれを開閉するためのＸ線シャッターが設けられる。オペレーターがケーシングの内部でＸ線装置に対して何等かの作業を行うときには、Ｘ線シャッターによってＸ線取り出し用窓を閉じてＸ線管からＸ線が放射されるのを防止し、これにより、オペレータがＸ線に被爆するのを防止する。また、Ｘ線装置のケーシングには扉が設けられ、オペレータがＸ線装置に対して作業を行うときにはそのケーシング扉を開いて作業を行う。作業が終了すると、その扉を閉じてＸ線がケーシングの外部へ漏れ出さない状態にし、その状態の下でＸ線管からＸ線を放射する。
【０００４】
【発明が解決しようとする課題】
従来、オペレータがケーシング扉を開くときの安全性を確保するため、ケーシング扉の開閉とＸ線管のＸ線シャッターの開閉とを連動させたＸ線装置が知られている。そして、その場合の開閉連動機構としては、電気制御系を利用したものが知られている。具体的には、ケーシング扉が開かれたことをセンサによって検知し、そのセンサの出力信号に基づいて電磁ソレノイド、モータなどを作動してＸ線シャッターを閉移動させてＸ線管のＸ線取出し用窓を閉じる。
【０００５】
しかしながら、このような電気制御系を用いた連動機構では、電気制御系に故障が生じた場合に、Ｘ線シャッターが誤動作してオペレータがＸ線に被爆する可能性がある。また、電気制御系の故障に起因して、ケーシング扉が開いたタイミングとＸ線シャッターが閉じるタイミングとの間にズレが生じる可能性がある。本発明は、上記の問題点を解決するために成されたものであって、ケーシング扉が開くときには誤動作無く確実にＸ線シャッターを閉じることができるＸ線装置用ケーシングを提供することを目的とする。
【０００６】
【課題を解決するための手段】
上記の目的を達成するため、本発明に係るＸ線装置用ケーシングは、Ｘ線管を備えたＸ線装置を収納するＸ線装置用ケーシングにおいて、Ｘ線管のＸ線取出し用窓を開閉するＸ線シャッターと、ケーシングに設けられていて開閉移動する扉と、そして、扉が開いたときにＸ線シャッターを閉じ、扉が閉じたときにＸ線シャッターを開くように、扉とＸ線シャッターとを機械的に連結するシャッター開閉手段とを有することを特徴とする。
【０００７】
このＸ線装置用ケーシングによれば、ケーシング扉とＸ線シャッターとが、電気的にではなく機械的に連結されるので、Ｘ線シャッターの開閉に誤動作が生じることがなくなり、しかもケーシング扉の開動作のタイミングとＸ線シャッターの閉動作のタイミングとの間にズレが生じることも確実に防止できる。さらに、ケーシング扉の開閉動作そのものに対応してＸ線シャッターが開閉するので、Ｘ線シャッターを開閉させるための特別な操作をしなくて良くなり、従って操作性が非常に良い。
【０００８】
ケーシング扉の開閉動作としては、スライド移動による開閉や、回転移動による開閉などが考えられる。但し、シャッター開閉手段を簡単で安定した構造とするためには、回転移動による開閉とするよりも、スライド移動による開閉とすることが望ましい。また、Ｘ線シャッターの開閉動作としては、スライド移動による開閉や、回転移動による開閉などが考えられる。また、回転移動による開閉には、一般の家屋に設備されるドアのような旋回移動による開閉であっても良いし、あるいは、図４に示すように、Ｘ線通過用の貫通穴２１を備えたＸ線シャッター１９それ自身を軸回転させることによる開閉であっても良い。
【０００９】
シャッター開閉手段は、特定の構成に限られることはないが、望ましくは、ケーシング扉と一体に移動するカムと、Ｘ線シャッターと一体に回転移動すると共にカムと接触するカムフォロワーとを有する構成を採用できる。この場合カムは、ケーシング扉の開移動に対応してカムフォロワーをＸ線シャッターの閉移動方向へ回転移動させ、さらに、ケーシング扉の閉移動に対応してカムフォロワーをＸ線シャッターの開移動方向へ回転移動させるカム形状を有する。
【００１０】
シャッター開閉手段にカムを用いる場合、そのカムの具体的な形状は、特定の形状に限られることはないが、溝状のカムとするのが良い。このような溝状カムを用いる場合には、その溝状カムからＸ線が漏れ出ることを防止するため、その溝状カムを覆うようにＸ線遮蔽部材を設置することが望ましい。また、カムフォロワーの移動を円滑にするため、カムとカムフォロワーとの間にローラを介在させることが望ましい。
【００１１】
【発明の実施の形態】
図１は、本発明に係るＸ線装置用ケーシングを用いたＸ線装置、特にＸ線回折装置を示している。このＸ線回折装置は、Ｘ線を発生するＸ線源Ｆを含んだＸ線管１と、測定対象である試料及びＸ線検出器に関する角度を測角するゴニオメータ２と、それらを格納するケーシング３とを有している。ケーシング３の前面には、取っ手１０を備えた扉４及び操作パネル５が設けられる。操作パネル５の中には、Ｘ線に関する異常を報知するための警報表示灯が含まれる。
【００１２】
扉４は、矢印Ａ−Ａ’で示すようにスライド移動することによってケーシング３の開口７を開閉する。図２は扉４が矢印Ａ方向へ開いた状態を示しており、この状態で、ケーシング３の開口７から内部が露出する。ケーシング３の内部に設置されたゴニオメータ２は、試料支持台８及び検出器アーム９を有している。測定対象である試料Ｓは試料支持台８によって支持され、そして試料Ｓで発生する回折Ｘ線を検出するためのＸ線検出器１１が検出器アーム９によって支持される。
【００１３】
Ｘ線管１の内部に含まれるＸ線源Ｆは、図６に示すように、陰極としてのフィラメント１２及びそれに対向する対陰極１３によって構成される。フィラメント１２は通電されることによって発熱して電子を放出し、その放出された電子が対陰極１３に高速で衝突してそこからＸ線が発生する。発生したＸ線は、図５に示すように、Ｘ線管１の管壁に設けたＸ線取出し用窓１４を通してＸ線管１の外部へ取り出される。
【００１４】
Ｘ線取出し用窓１４の所のＸ線管壁の内部には、Ｘ線シャッター１９が埋め込まれる。このＸ線シャッター１９は、図４に示すように円柱状に形成されており、そのほぼ中央位置にＸ線を通過させるための貫通穴２１が開けられている。また、Ｘ線シャッター１９には回転軸２２が設けられ、図５において、Ｘ線管１の管壁に埋め込まれた円筒形状のブラケット２３によってその回転軸２２が回転自在に支持されている。Ｘ線シャッター１９の貫通穴２１がＸ線管１のＸ線取出し用窓１４に一致するとＸ線取出し用窓１４が開状態になり、このとき、Ｘ線源Ｆで発生したＸ線がその窓１４を通して外部へ取り出される。他方、Ｘ線シャッター１９が回転して貫通穴２１がＸ線管１のＸ線取出し用窓１４に対して角度的にずれると、Ｘ線シャッター１９によってＸ線取出し用窓１４が閉状態に置かれる。
【００１５】
図４において、回転軸２２の適所には切欠き２４が形成され、この切欠き２４を検知できる位置にセンサ、例えばマイクロスイッチ２５が配設される。マイクロスイッチ２５が切欠き２４を検知するか否かによって、Ｘ線シャッター１９の貫通穴２１がＸ線取出し用窓１４に一致しているか否か、換言すれば、Ｘ線取出し用窓１４が開状態にあるか、あるいは閉状態にあるかが検知される。
【００１６】
図５において、Ｘ線シャッター１９の回転軸２２の先端に回転アーム２６が固定されている。そして、その回転アーム２６の先端にカムフォロワー２７が固定されている。また、カムフォロワー２７はその先端にローラ２８を有している。カムフォロワー２７の後端部２７ａは、図７に示すように、ブラケット２３の円盤状基部２３ａに形成した切欠き部２３ｂの中に位置している。カムフォロワー２７とブラケット基部２３ａに立てた支ピン３０との間には弾性付勢部材としての引張りバネ２９が張られている。
【００１７】
図１において、ケーシング３の開口７を開閉する扉４は軽量のプラスチックによって形成されている。軽量のプラスチックとしたのは、扉の開閉を容易に行うことができるようにするため及び外観上きれいにまとめるためである。そして、その扉４の裏面には、図３に示すように、中間取付具１７を介して平板状のカム部材１８が固定される。中間取付具１７とカム部材１８との固着方法及び中間取付具１７と扉４との固着方法は、ネジ止め、溶着、接着、その他任意の方法を採用できる。中間取付具１７を用いてカム部材１８と扉４とを固定することにより、両者の間には中間取付具１７の幅に相当する間隔が形成される。
【００１８】
カム部材１８の中央よりやや上方位置に溝状の長穴として形成されたカム３１が設けられる。この溝状カム３１は、扉４の開閉方向（Ａ−Ａ’方向）に対して平行に延びる直線状溝３１ａと、図の上方へ向けて傾斜する傾斜溝３１ｂとによって構成される。また、溝状カム３１を外部から遮蔽するため、平板状のＸ線遮蔽部材３２がカム部材１８に固着される。カム部材１８及びＸ線遮蔽部材３２は、共に、Ｘ線の通過を阻止できる材料、例えば鋼板などによって形成される。
【００１９】
図１及び図２に示すように、ケーシング３の内部の前面側には複数のローラ３３を一列に並べることによって構成されたレールが上下一対に設けられている。これらのローラ３３は、図３に示すように、カム部材１８を上下から支持し、これにより、カム部材１８及びそれに固定される扉４を矢印Ａ−Ａ’方向へ滑り移動自在に支持する。
【００２０】
カム部材１８がローラ３３によって支持された状態でケーシング３に装着されるとき、図５及び図６に示すように、カムフォロワー２７の先端ローラ２８が溝状カム３１にはまり込む。カムフォロワー２７は、引張りバネ２９によって引っ張られることによって、ブラケット２３の円盤状基部２３ａに形成した切欠き部２３ｂの上端又は下端のいずれかに当るまで動き、それらの状態においてＸ線シャッター１９は正確に位置決めされる。また、バネ２９のバネ力により、カムフォロワー２７の先端のローラ２８は、常に、溝状カム３１の傾斜溝３１ｂの上側側面又は溝状カム３１の直線状溝３１ａの下側側面に圧力下で接触する。図６に示す状態は、カム部材１８従って扉４がケーシング３の開口７を閉じた状態を示しており、この状態で、カムフォロワー２７の先端ローラ２８は、溝状カム３１の傾斜溝３１ｂの溝幅の中に位置する。溝状カム３１の溝幅は、カムフォロワーローラ２８の外径よりも少し大きめに設定される。これは、組立誤差を配慮して遊び、すなわち寸法的な余裕を設けるためである。
【００２１】
カムフォロワー２７がこの状態にあるとき、それを支持する回転アーム２６は右上がりの傾斜位置にある。回転アーム２６がこの位置にあるとき、回転軸２２を介してその回転アーム２６に固定されたＸ線シャッター１９は、Ｘ線管１のＸ線取出し用窓１４を開状態に置く。つまり、Ｘ線シャッター１９のＸ線通過用穴２１がＸ線取出し用窓１４と一致した位置に置かれる。この状態で、Ｘ線管１内のＸ線源Ｆで発生したＸ線はＸ線取出し用窓１４を通してＸ線管１の外部へ放射される。
【００２２】
この状態から扉４が矢印Ａ方向へ徐々に開かれると、その扉４と一体なカム部材１８も図６の矢印Ａ方向へスライド移動する。すると、カムフォロワー２７は矢印Ａ方向へ移動する傾斜溝３１ｂによって徐々に下方へ押し下げられ、これにより回転アーム２６が図６の正時計方向へ回転し、同時にＸ線シャッター１９も同じ方向へ回転する。扉４従ってカム部材１８が開移動を継続するとカムフォロワー２７は傾斜溝３１ｂから直線状溝３１ａ内へ入り込み、さらにその直線状溝３１ａ内を進行する。
【００２３】
カムフォロワー２７が直線状溝３１ａ内へ入り込むと、図７に示すように、回転アーム２６は右上がりの傾斜状態から右下がりの傾斜位置へと回転し、これにより、Ｘ線シャッター１９のＸ線通過用開口２１がＸ線管１のＸ線取出し用窓１４から角度的に外れてその窓１４が閉状態に置かれる。この状態で、Ｘ線管１内のＸ線源Ｆで発生したＸ線がＸ線取出し用窓１４を通してＸ線管１の外部へ放射されることが阻止される。直線状溝３１ａはカム部材１８のスライド方向（Ａ−Ａ’方向）に対して平行であるから、カムフォロワー２７が直線状溝３１ａ内を進行する間そのカムフォロワー２７は直線状溝３１ａによって上下移動が規制され、従って、Ｘ線シャッター１９のＸ線取出し用窓１４は誤動作することなくしっかりと閉状態に保持される。
【００２４】
図６に示すようにカムフォロワー２７が中立位置よりも上方にあるとき、バネ２９はそのカムフォロワー２７を傾斜溝３１ｂの上側側面に押し付ける。一方、図７に示すようにカムフォロワー２７が中立位置よりも下方にあるとき、バネ２９はそのカムフォロワー２７を直線状溝３１ａの下側側面に押し付ける。このようなバネ２９の働きにより、カムフォロワー２７の振動が防止され、その結果、Ｘ線シャッター１９は開状態又は閉状態のいずれかに安定状態で保持される。
【００２５】
図５に示すように、扉４がケーシング３の開口７を閉じているとき、扉４は容易に開けられないようになっていることが望ましい。そのため、本実施形態では、扉４及びケーシング３の適所に磁石及び磁性部材を設置し、扉４が閉じられたときには扉４をケーシング３に磁力吸引する。また、扉４が完全に閉じられたことはセンサ、例えばマイクロスイッチ３４によって検知される。
【００２６】
以下、上記構成より成るＸ線装置についてその動作を説明する。まず、図２に示すように扉４を開いた状態で、オペレータが試料Ｓを試料支持台８に装着する。このとき、扉４と一体なカム部材１８は、図７に示すように、矢印Ａ方向へスライド移動した状態にあり、カムフォロワー２７は直線状溝３１ａの中に保持され、よって、Ｘ線シャッター１９はＸ線取出し用窓１４を閉じている。従って、Ｘ線管１からＸ線が漏れ出ることがなく、オペレータはＸ線に被爆することなく安心して作業を行うことができる。なお、カムフォロワー２７は直線状溝３１ａによって上下両方向への移動が規制されるので、カムフォロワー２７が直線状溝３１ａ内にある限り、カム部材１８従って扉４がどの位置にあってもＸ線シャッター１９は正確に閉状態に固定保持される。
【００２７】
試料Ｓの装着が終了すると、オペレータは図２において扉４の取っ手１０に指を差し入れて扉４を矢印Ａ’方向へスライド移動させて、図１に示すようにその扉４を閉じる。扉４を閉じるとき、図７に示すように、カムフォロワー２７はしばらくの間溝状カム３１の直線状溝３１ａ内に保持され、よって、Ｘ線シャッター１９は閉状態に保持される。その後、扉４がケーシング３の開口を完全に閉じる位置に近づくと、カムフォロワー２７は傾斜溝３１ｂへ入り込み、そしてその傾斜溝３１ｂに押されて徐々に上方へ押し上げられる。扉４がケーシング開口７を完全に閉じると、カムフォロワー２７は図６に示すように上方位置へ押し上げられ、これによりＸ線シャッター１９が開状態に設定される。このように、Ｘ線シャッター１９が開かれるときには、溝状カム３１とカムフォロワー２７との機械的な関わり合いによって、カム部材１８従って扉４は必ず閉状態に置かれるので、ケーシング３からＸ線が漏れ出ることが確実に防止され、よって、オペレータが被爆することは無い。
【００２８】
以上のようにして、扉４が閉じられてＸ線管１のＸ線取出し用窓１４が開状態に設定された後、オペレータは操作パネル５（図１参照）を通して測定開始を指示する。すると、図５において、Ｘ線管１内のＸ線源ＦからＸ線が放射され、開状態に置かれているＸ線シャッター１９を通してそのＸ線がＸ線管１の外部へ取り出される。取り出されたＸ線は、発散規制スリット１５によってその発散を制限されながら試料Ｓに照射される。照射されたＸ線と試料Ｓの結晶格子面との間でブラッグの回折条件が満足されると試料Ｓから回折Ｘ線が発生し、その回折Ｘ線が受光スリット１６に集束してそれを通過した後、Ｘ線検出器１１によって検出される。そして、この検出結果に基づいて試料Ｓの性質が解析される。
【００２９】
図５において、Ｘ線シャッター１９が開状態にあることがシャッター側マイクロスイッチ２５によって検知されると、その旨が操作パネル５に警報表示される。これを見たオペレータは、扉４を開けないように注意する。また、扉４が完全に閉じていないことが扉側マイクロスイッチ３４によって検知されると、その旨が操作パネル５に警報表示される。これを見たオペレータは、Ｘ線シャッターが開いていないことに注意する。
【００３０】
さらに、Ｘ線シャッター１９が開状態にあることがシャッター側マイクロスイッチ２５によって検知され、それと同時に、扉４が完全に閉じていないことが扉側マイクロスイッチ３４によって検知されると、Ｘ線管１内のＸ線源ＦからのＸ線の発生が停止され、これにより、オペレータの安全が確保される。しかしながら、このようなＸ線の停止作業は、あくまでもより一層の安全を確保するための補助的な作業である。何故ならば、本実施形態のように扉４の開閉とＸ線シャッター１９の開閉とを機械的に連動させておけば、Ｘ線シャッター１９と扉４とが同時に開状態になることは現実にはあり得ないからである。従って、そのようなＸ線の停止作業は場合によっては省略できる。
【００３１】
以上、好ましい実施形態を挙げて本発明を説明したが、本発明はその実施形態に限定されるものではなく、特許請求の範囲に記載した技術的範囲内で種々に改変できる。
例えば、Ｘ線管及びゴニオメータは図２に示した形式以外の任意のものを採用できる。また、ケーシングの内部にはＸ線回折装置以外の任意のＸ線装置を収納できる。また、扉の開閉とＸ線シャッターの開閉とを機械的に連結するシャッター開閉手段の構成は、図５及び図６に示す構成に限られず、他の適宜の構成とすることができる。また、ケーシング扉の開閉動作を、スライド移動による開閉動作に代えて、旋回移動によるドア式の開閉動作とすることもできる。但しその場合には、シャッター開閉手段の構成を適宜に変更する必要がある。
【００３２】
【発明の効果】
請求項１記載のＸ線装置用ケーシングによれば、ケーシング扉とＸ線シャッターとが、電気的にではなく機械的に連結されるので、Ｘ線シャッターの開閉に誤動作が生じることがなくなり、しかもケーシング扉の開動作のタイミングとＸ線シャッターの閉動作のタイミングとの間にズレが生じることを確実に防止できる。さらに、ケーシング扉の開閉動作そのものに対応してＸ線シャッターが開閉するので、Ｘ線シャッターを開閉させるための特別な操作をする必要がなく、従って操作性が非常に良い。
【００３３】
請求項２記載のＸ線装置用ケーシングによれば、扉を旋回移動によって開閉する形式の、いわゆるドア型の扉に比べて、シャッター開閉手段の構成を簡単にでき、しかも安定した開閉動作を確保できる。また、ドア型の扉を用いる場合には、扉を開けたときにその扉がケーシングの前に出てきて、試料の出し入れ、あるいはＸ線装置に対する各種の作業の邪魔になるおそれがある。これに対し、スライド式の扉を用いれば、扉がケーシングの前に出ることがないので、それらの作業が容易である。
【００３４】
請求項３記載のＸ線装置用ケーシングによれば、Ｘ線シャッターをスライド式のシャッターによって構成する場合に比べて、あるいはシャッター開閉手段をカム以外の動力伝達要素を用いて構成する場合に比べて、Ｘ線シャッター及びシャッター開閉手段の構成を簡単にでき、しかもＸ線管のまわりの付帯機構を小型に形成できる。
【００３５】
請求項４記載のＸ線装置用ケーシングによれば、Ｘ線シャッターをスライド式のシャッターや旋回式のシャッターによって構成する場合に比べて、Ｘ線シャッター及びシャッター開閉手段の構成をより一層簡単にでき、しかもＸ線管のまわりの付帯機構をより一層小型に形成できる。また、Ｘ線シャッターの開閉及びケーシング扉の開閉が長期間にわたって繰り返して行われても、Ｘ線シャッター及びシャッター開閉手段の動作は安定している。
【００３６】
請求項５記載のＸ線装置用ケーシングによれば、扉のスライド移動を理想的な形でＸ線シャッターの開閉移動に変換できる。理想的な形というのは、無駄な空間を必要とせず、しかも非常に小さな力だけでケーシング扉及びＸ線シャッターを開閉できるということである。また、Ｘ線シャッターの閉位置を直線状溝によって保持するようにすれば、扉をスライド移動させる間、カムフォロワーの上下方向への移動がその直線状溝によって規制されるので、Ｘ線シャッターを安定して閉位置に保持できる。また、カムフォロワーの上下動が規制されることにより、何等かの原因でＸ線シャッター又はその付帯機器に外部から力が加わっても、Ｘ線シャッターが動くことがなくなり、よって、安全性が確保される。
【００３７】
請求項６記載のＸ線装置用ケーシングによれば、プラスチックのような軽量ではあるがＸ線を透過してしまうような材料によって扉を形成した場合でも、ケーシングの外部へＸ線が漏れ出ることを防止できる。
【００３８】
請求項７記載のＸ線装置用ケーシングによれば、カムとカムフォロワーとの間の摩擦力が低減してケーシング扉及びＸ線シャッターの開閉が小さな力で円滑に行われる。
【００３９】
請求項８記載のＸ線装置用ケーシングによれば、弾性付勢部材に力によってＸ線シャッターが閉位置又は開位置のいずれかの位置に確実に固定保持され、これにより、Ｘ線シャッターの開閉動作を繰り返して安定して行うことができる。
【００４０】
請求項９及び請求項１０記載のＸ線装置用ケーシングによれば、ケーシング扉の支持機構を簡単且つ安定な機構として形成できる。
【００４１】
【図面の簡単な説明】
【図１】本発明に係るＸ線装置用ケーシングを用いたＸ線装置、特にＸ線回折装置の全体形状を示す斜視図である。
【図２】図１のＸ線回折装置のケーシング扉を開いた状態を示す斜視図である。
【図３】ケーシング扉とカム部材との結合状態を示す分解斜視図である。
【図４】Ｘ線シャッターの一例を示す斜視図である。
【図５】図１のＸ線回折装置の内部構造の要部を示す平面断面図である。
【図６】図５に示す部分の正面図であってＸ線シャッターが開状態にある場合を示す図である。
【図７】図６に示す状態からケーシング扉が開かれてＸ線シャッターが閉状態になった場合を示す正面図である。
【符号の説明】
１        Ｘ線管
２        ゴニオメータ
３        ケーシング
４        扉
５        操作パネル
７        ケーシングの開口
８        試料支持台
９        検出器アーム
１０        取っ手
１１        Ｘ線検出器
１２        フィラメント
１３        対陰極
１４        Ｘ線取出し用窓
１５        発散規制スリット
１６        受光スリット
１７        中間取付具
１８        カム部材
１９        Ｘ線シャッター
２１        Ｘ線通過用貫通穴
２２        回転軸
２３        ブラケット
２３ａ      ブラケットの円盤状基部
２３ｂ      ブラケットの切欠き部
２４        回転軸の切欠き
２６        回転アーム
２７        カムフォロワー
２８        カムフォロワーのローラ
２９        引張りバネ（弾性付勢手段）
３１        カム
３１ａ      直線状溝
３１ｂ      傾斜溝
３２        Ｘ線遮蔽部材
３３        ローラ（レール手段）
Ｆ        Ｘ線源
Ｓ        試料
【図１】
0003644611.tif 000002
【図２】
0003644611.tif 000003
【図３】
0003644611.tif 000004
【図４】
0003644611.tif 000005
【図５】
0003644611.tif 000006
【図６】
0003644611.tif 000007
【図７】
0003644611.tif 000008